(57)【要約】【課題】飲用時にキャップを開けると、該粉末収納体を容易に開裂することができ、飲料時に混合して新鮮な状態で煩わしさがなく飲用し得ること。【解決手段】外部キャップ１の天井内面にナス型粉末収納体７を有し、該粉末収納体の有底部には複数の非貫通スリット６が設けられており、更に前記収納体の移動を阻止する環状体５が該収納体の首部に嵌合されていると共に該環状体は、前記内部キャップ９の内壁に固定されており、前記外部キャップ１を開ける際、前記収納体７が上昇して首部が絞られて押圧され、前記非貫通スリット６を開裂することを特徴とする開封時に開放される粉末収納体付き容器用キャップ。又は粉末収納体が底蓋１４が開封される容器７である。前記非貫通スリットの断面形状がＶ字形であり、前記容器がプラスチックボトルである。【選択図】    図１
2009083923.tif 000002
【特許請求の範囲】
【請求項１】
外部キャップと内部キャップを有する開封時に開放される粉末収納体付き容器用キャップにおいて、該外部キャップの天井内面にナス型粉末収納体が固定用部材で固定されており、該粉末収納体の有底部には複数の非貫通スリットが設けられており、更に前記収納体の移動を阻止する環状体が該収納体の首部に嵌合されていると共に該環状体は、前記内部キャップの内壁に固定されており、前記外部キャップを開ける際、前記収納体が上昇して首部が絞られて押圧され、前記非貫通スリットを開裂することを特徴とする開封時に開放される粉末収納体付き容器用キャップ。
【請求項２】
外部キャップと内部キャップを有する開封時に開放される粉末収納体付き容器用キャップにおいて、該外部キャップの天井内面に固定用部材で固定されかつ底部が開放される底蓋を有する粉末収納体を有し、一端が固定され他端が下方に延びる当接棒を有する環状体が内部キャップに固定されており、前記粉末収納体は摺動可能に前記環状体に嵌合されており、更に前記底蓋の一端が接続部材により開閉可能に設けられており、底蓋の他端には前記当接棒の先端が当接していることを特徴とする開封時に開放される粉末収納体付き容器用キャップ。
【請求項３】
外部キャップと内部キャップを有する開封時に開放される粉末収納体付き容器用キャップにおいて、該外部キャップの天井内面に固定用部材で固定されかつ圧力によりスリットが開裂する粉末収納体を有し、更に該粉末収納体は、ガイドロッドが内部を貫通し、該ガイドロッドの上端が環状体及びジョイント付き固定プレートを摺動可能に貫通してケーブルタップに接続され、下端は、粉末収納体の下面に有するガイドロッド留め具に固定されていることを特徴とする開封時に開放される粉末収納体付き容器用キャップ。
【請求項４】
前記非貫通スリットの断面形状がＶ字形であることを特徴とする請求項１又は請求項２に記載の開封時に開放される粉末収納体付き容器用キャップ。
【請求項５】
前記容器がプラスチックボトルであることを特徴とする請求項１乃至請求項４のいずれかに記載の開封時に開放される粉末収納体付き容器用キャップ。
【発明の詳細な説明】
【技術分野】
【０００１】
本発明は、開封時に開放される粉末収納体付き容器用キャップに関するものであり、更に詳しくは飲料材料を水と分離して粉末状で保持し、飲用時に混合して新鮮な状態で飲用し得る開封時に開放される粉末収納体付き容器用キャップに関するものである。
【背景技術】
【０００２】
従来、飲料材料は、液状体でビン、缶、ペットボトル（商標名）などに詰めて販売されているが、最初から液状体にした飲料は、時間経過と共に変質して味や風味が変化するという問題があり、近年、この点を改良した種々の技術が開発されている。その一例としては、文献の図１乃至図３に示されるように、ビンやプラスチック容器などの外部キャップ３と内部キャップ２からなり、この内部キャップ２に粉末茶５を収納すると共に、外部キャップ３の内面には、先端部が刃形状などの形状になっている下方突出部３ｂを備えた合成樹脂からなり、下方突出部３ｂの内側には窪み部３ｅが設けられ、また外周には突起状のシール部３ｃが設けられている。下方突出部３ｂのシール部３ｃが内部キャップ２の収納部２ｂ内週面に当接して、収納部２ｂ内に収納されている粉末茶５を密封する構造となっている。蓋３を回転させて開けると蓋３と連動した刀形をした下方突出部３ｂによって粉末収納体２が破れて粉末５が落下して飲料水３に混合される技術が開示されている（例えば、特許文献１参照）。
【０００３】
また図１乃至図４に示されているように、瓶口２ａに止着した密封容器４が瓶口２ａ内に没入された状態で設けられており、この密封容器４の上面部４ｄには凹部が形成されている。他方、キャップの内面側には、内方に向かって突出する突起６ａが形成されており、この突起６ａが密封容器４の上面部４ｄ側を押圧してこれを突き破り、さらに下面部４ｅをも破って密封容器４内の粉末茶５を容器本体内の飲料水中に落下させる飲料用混合容器が開示されている（例えば、特許文献２参照）。
【０００４】
更には図６乃至図７に示されているように、ペットボトル本体１０の口頚部２に固体状の飲料材料３を封入した収納袋４が保持され、またボトルキャップ１の上面には、ペットボトルの口頚部２より内側に、その肉厚が薄くなるように円形溝７を（変形部）形成し、手の押圧で収納袋４が破袋（図７参照）するようにした飲料用容器が開示されている（例えば、特許文献３参照）。
【特許文献１】特開２００４−２７６９４２（段落０００６、段落０００８乃至段落００１０、段落００１２、図１乃至図３）
【特許文献２】特開２００３−７２８２２（段落０００６乃至段落００１１、図１乃至図４）
【特許文献３】特開２００４−２８４６５３（段落００１０、図６乃至図７）
【発明の開示】
【発明が解決しようとする課題】
【０００５】
しかしながら、前述の如く特許文献１に開示されている飲料容器のキャップ構造は、外部キャップ３と内部キャップ２からなり、この内部キャップ２に粉末茶５を収納すると共に、外部キャップ３の内面に設けられた先端部が刃形状の下方突出部３ｂによって内部キャップ２の底面を破断して粉末茶５を飲料水に混合するが、外部キャップ３と内部キャップ２を用いるなど部品数が多く、また構造が複雑となる。更には飲用時に内部キャップ２を取り除いてから飲用するので、煩わしさを伴う点で問題があった。
【０００６】
また特許文献２に開示されている飲料用混合容器は、キャップの内面側に設けられた突起６ａで密封容器４の上面部４ｄ側を押圧してこれを突き破り、さらに下面部４ｅをも破って密封容器４内の粉末茶５を容器本体内の飲料水中に落下させるものであるが、これは前記特許文献１と同様に密封容器４を突き刺し、飲用時には破れた密封容器４を取り除く必要があるばかりか、取り除いた密封容器４の処分に煩わしさの恐れがあるという問題があった。
【０００７】
更に特許文献３に開示されているぺットボトルキャップの内部構造としては、ボトルキャップ１の上面には、ペットボトルの口頚部２より内側に、その肉厚が薄くなるように円形溝７を（変形部）形成し、一方ペットボトル本体１０の口頚部２に固体状の飲料材料３を封入した収納袋４が保持されているので、この収納袋４を手の押圧で破袋（図７参照）することにより飲料材料３を飲料水中に落下させるものであるが、この収納袋４には、袋を開裂しうるスリットがなく、またぺットボトルキャップに、その肉厚が薄い円形溝７が設けられているものの、この構造では手による押圧力が弱く収納袋４を破壊するには十分ではないという問題があった。また飲用時には破れた収納袋４を取り除く必要があるばかりか、取り除いた収納袋４の処分に煩わしさの恐れがあるという問題があった。
【０００８】
そこで、本発明者は、上記の問題点について、種々検討したところ、内部キャップに固定した環状体に摺動可能に嵌合した粉末収納体を有することにより、飲用時に開封すると、粉末収納体中の粉末が開放されて落下することにより、飲用時には破れた粉末収納体を取り除く必要がなく、飲用時に混合して新鮮な状態で煩わしさがなく飲用し得る、開封時に開放される粉末収納体付き容器用キャップが得られることを見出し、ここに本発明をなすに至った。
【０００９】
したがって、本発明が解決しようとする第１の課題は、飲用時にキャップを開けると環状体に嵌合された粉末収納体の首部が絞られて、該粉末収納体を容易に開裂することができ、しかも飲用時には破れた粉末収納体を取り除く必要がなく、したがって、飲料時に混合して新鮮な状態で煩わしさがなく飲用し得る、開封時に開放される粉末収納体付き容器用キャップを提供することにある。本発明が解決しようとする第２の課題は、飲用時に蓋を開けると嵌合された粉末収納体の移動により環状体に設けられている当接棒の先端で底部の蓋を押し開けるので、粉末収納体中の粉末が開放されて落下し、混合され、したがって新鮮な状態で煩わしさがなく飲用し得る、開封時に開放される粉末収納体付き容器用キャップを提供することにある。
【課題を解決するための手段】
【００１０】
本発明は、以下の各発明によって、前記の課題を解決したものである。
（１）外部キャップと内部キャップを有する開封時に開放される粉末収納体付き容器用キャップにおいて、該外部キャップの天井内面にナス型粉末収納体が固定用部材で固定されており、該粉末収納体の有底部には複数の非貫通スリットが設けられており、更に前記収納体の移動を阻止する環状体が該収納体の首部に嵌合されていると共に該環状体は、前記内部キャップの内壁に固定されており、前記外部キャップを開ける際、前記収納体が上昇して首部が絞られて押圧され、前記非貫通スリットを開裂することを特徴とする開封時に開放される粉末収納体付き容器用キャップ。
（２）外部キャップと内部キャップを有する開封時に開放される粉末収納体付き容器用キャップにおいて、該外部キャップの天井内面に固定用部材で固定されかつ底部が開放される底蓋を有する粉末収納体を有し、一端が固定され他端が下方に延びる当接棒を有する環状体が内部キャップに固定されており、前記粉末収納体は摺動可能に前記環状体に嵌合されており、更に前記底蓋の一端が接続部材により開閉可能に設けられており、底蓋の他端には前記当接棒の先端が当接していることを特徴とする開封時に開放される粉末収納体付
き容器用キャップ。
（３）外部キャップと内部キャップを有する開封時に開放される粉末収納体付き容器用キャップにおいて、該外部キャップの天井内面に固定用部材で固定されかつ圧力によりスリットが開裂する粉末収納体を有し、更に該粉末収納体は、ガイドロッドが内部を貫通し、該ガイドロッドの上端が環状体及びジョイント付き固定プレートを摺動可能に貫通してケーブルタップに接続され、下端は、粉末収納体の下面に有するガイドロッド留め具に固定されていることを特徴とする開封時に開放される粉末収納体付き容器用キャップ。
（４）前記非貫通スリットの断面形状がＶ字形であることを特徴とする請求項１又は請求項２に記載の開封時に開放される粉末収納体付き容器用キャップ。
（５）前記容器がプラスチックボトルであることを特徴とする前記第１項乃至第４項のいずれかに記載の開封時に開放される粉末収納体付き容器用キャップ。
【発明の効果】
【００１１】
本発明において、（１）前記第１項に記載された開封時に開放される粉末収納体付き容器用キャップは、外部キャップと内部キャップを有する開封時に開放される粉末収納体付き容器用キャップにおいて、該外部キャップの天井内面にナス型粉末収納体が固定用部材で固定されており、該粉末収納体の有底部には複数の非貫通スリットが設けられており、更に前記収納体の移動を阻止する環状体が該収納体の首部に嵌合されていると共に該環状体は、前記内部キャップの内壁に固定されており、前記外部キャップを開ける際、前記収納体が上昇して首部が絞られて押圧され、前記非貫通スリットを開裂することを特徴とするもので、環状体に首部で嵌合されている粉末収納体を用いるので、キャップを開ける時の粉末収納体の上昇力により粉末収納体は押圧され、簡単に粉末収納体の非貫通スリットが開裂し、粉末を飲料水中に混入しうるという優れた効果を奏するものである。
【００１２】
（２）前記第２項に記載された開封時に開放される粉末収納体付き容器用キャップは、外部キャップと内部キャップを有する開封時に開放される粉末収納体付き容器用キャップにおいて、該外部キャップの天井内面に固定用部材で固定されかつ底部が開放される底蓋を有する粉末収納体を有し、一端が固定され他端が下方に延びる当接棒を有する環状体が内部キャップに固定されており、前記粉末収納体は摺動可能に前記環状体に嵌合されており、更に前記底蓋の一端が接続部材により開閉可能に設けられており、底蓋の他端には前記当接棒の先端が当接していることを特徴とするもので、摺動時に内部キャップに固定された環状体から下方に延びる当接棒が、粉末収納体が上方に摺動したときに、該粉末収納体の底部の蓋を押し開けることによって、底蓋が開放され中の粉末が落下し、粉末を飲料水中に簡単に混入しうるという優れた効果を奏するものである。
【００１３】
（３）外部キャップと内部キャップを有する開封時に開放される粉末収納体付き容器用キャップにおいて、該外部キャップの天井内面に固定用部材で固定されかつ圧力によりスリットが開裂する粉末収納体を有し、更に該粉末収納体は、ガイドロッドが内部を貫通し、該ガイドロッドの上端が環状体及びジョイント付き固定プレートを摺動可能に貫通してケーブルタップに接続され、下端は、粉末収納体の下面に有するガイドロッド留め具に固定されていることを特徴とする開封時に開放される粉末収納体付き容器用キャップ。
（４）前記第１項又は第２項に記載の開封時に開放される粉末収納体付き容器用キャップにおいて、非貫通スリットの断面形状がＶ字形であることにより、飲用時にキャップの開封により、粉末収納体のＶ字形の肉薄部が容易に開裂して粉末を飲料水中に混入しうるという優れた効果を奏するものである。
【００１４】
（５）前記第１項乃至第４項のいずれかに記載の開封時に開放される粉末収納体付き容器用キャップにおいて、前記容器がプラスチックボトルであることにより、軽量かつ安価であるので、経済的に有利であるという優れた効果を奏するものである。
【発明を実施するための最良の形態】
【００１５】
以下に、本発明について、発明の実施の形態を図面で説明するが、本発明は、これに限定されるものではない。また本発明に係る図面において、同一部分には同一符号を付してその説明を省略すると共に、各要部の同一機能部分には同一符号を使用する。更に本願特許請求の範囲及び明細書に記載されている内部キャップとは、瓶口に取り付けられ、天井を有しない筒状枠体を意味する。
【００１６】
図１は、本発明の開封時に開放される粉末収納体付き容器用キャップを示す断面図である。図２は、本発明に用いられる粉末収納体を示す底面図である。図３は、本発明に用いられる留め具に係る別の形態を示す断面図である。図１及び図３において、外部キャップ１は、外周がネジ切りされた内部キャップ９に取り付けられ、該外部キャップ１の天井部の内面には粉末３を入れたナス型袋７が固定されている。このナス型袋の有底部には、スリット６を放射状に有している。前記ナス型袋７は、固定部材２、３を介して固定されており、該固定部材２、３は、それぞれ板状体からなり、特にその形状は限定されないが、円板状が好ましい。天井内面に固定するには、固定部材２、３の円板２、３を接着剤で接着するか又は両面接着テープなどを用いて接着することが好ましい。更にこの固定部材３の円板は、留め具４と接着剤又は両面接着テープで接着する（図示されていない。）。一方、この留め具４には、粉末収納体からなるナス型袋７が取り付けられている。このナス型袋７には粉末８が収納されている。粉末８としては、飲料に用いられるものであれば、特に限定されるものではないが、好ましくは、お茶、コーヒー、ジュースなどの粉末を用いることができる。
【００１７】
前記粉末収納用袋７の底の部分にはスリット６が設けられているが、このスリットは、非貫通スリットであり、好ましくはＶ字形である。このように底の部分をＶ字形に切り込むことにより切り込まれた面の厚みが薄くなるので、破壊されやすくなっている。粉末収納体７の材質としては、気体や液体を通過しないものが好ましく、例えば、アルミ箔、積層アルミ箔、合成樹脂や樹脂被覆紙などの食品用がよい。内部キャップ９又は環状体固定枠９は、内面に固定された環状体５を有している。内部キャップ９に外部キャップ１を取り付けた後、ナス型袋７の首部に取り付けられた留め具４をストッパープレート又は固定環状体５に挿入又は嵌合した状態で前記外部キャップ１の内面に有する円板状固定部材３に接着剤で接着することにより固定する。その後、内部キャップ９を瓶口又はボトルの口に取り付ける。このようにして得られた開封時に開放される粉末収納体付き容器用キャップで蓋をされた、例えばベットボトルは、飲用時に外部キャップ１を回すとナス型袋７は上方へ移動するが、首部より下の部分は環状体５の環の直径より大きいので、該環を通過できない。したがって、袋７は首部で絞られて内圧が大きくなり、スリット６が開裂する。これにより内部に収納されていた粉末８、例えばお茶の粉末が落下して飲料水中へ混入する。このように、粉末を飲料水中に簡単に混入しうると共に、飲料時に混合して新鮮な状態で煩わしさがなく飲用することができるものである。また外部キャップ１や内部キャップ９などの材質は、特に限定されるものでではないが、経済性を考慮すれば、プタスチックスが好ましい。またこのような材料で形成された粉末収納体７は、機密となり、この状態では液体はもちろんのこと、空気などの気体は全く外部に出ない。
【００１８】
また前述の如く天井の内面に取り付けられた固定部材２、３の円板、例えば、ワッシャー２及び３と留め具４の接着による固定方法に代えて図３に示される係合部材１１、１２を用いて接続することができる。図３は、本発明において、粉末収納体７の外部キャップ１の内面への取り付け方が別の形態である部分断面図を示す。図３において、外部キャップ１の内面（天井）にワッシャー２を接着し、このワッシャー２に雌型係合部、例えば、ケーブルタップ留め具１１を接着し、更に該ケーブルタップ留め具１１に雄型係合部、例えば、ケーブルタップ１２を係合して接続する。このような雌型係合部と雄型係合部による接続は、これを分離するには極めて大きな力で引っ張らないと分離することができない
。
【００１９】
図４は、本発明の別の形態の粉末収納体を有するキャップを示す断面図である。
図４において、図１と同様に、外部キャップ１は、外周がネジ切りされた内部キャップ９に取り付けられ、該外部キャップ１の天井部の内面には粉末３を入れた容器７が図３に示される係合部材２、１１によって係合により接続されている。また粉末収納体である容器７は、内部キャップ９に固定されている環状体５に挿入されて配置され、該容器７の底には、開閉可能な底蓋１４が設けられており、該底蓋１４の一端が容器７の下部開口部に接続部材１６によって接続されていると共に、一定の角度以上に底蓋１４が開くと、その角度以上で底蓋１４が全開するように作用するバネ、例えば、トーションバネ１５が設けられている。この底蓋１４の一部が環状体５に固設された当接棒１３の先端が当接しており、外部キャップ１を開けると容器７が上昇し、同様に底蓋１４も上昇する。したがって、底蓋１４に当接している当接棒１３は、そのまま動かないので、底蓋４の上昇により底蓋１４が開く。更に粉末収納体７は、容器が好ましく、またその材質はプラスチックが好ましい。なお、上記トーションバネ５の構造及びその作用は前述の如くバネの技術分野において周知の技術である。このように本発明に用いられる図４に示される粉末収納体を有するキャップは、例えば、水の入ったペットボトルの瓶口に設置しておく。飲用時に外部キャップ１を回して開けると、容器７の底蓋１４が当接棒１３の当接により底蓋１４が開放され、容器内の粉末、例えば、お茶の粉末８が落下し、水と混合する。このように、粉末を飲料水中に簡単に混入しうると共に、飲料時に混合して新鮮な状態で煩わしさがなく飲用することができるものである。
【００２０】
図５は、粉末収納体を有するキャップの更に別の実施の形態を示す断面図である。図５において、粉末収納体７がその内部にガイドロッド１７を有し、このガイドロッド１７の上端は、環状体５及びジョイント付き固定留め具４１をそれぞれ貫通し、ケーブルタップ１２に接続されており、またガイドロッド１７の下端は、粉末収納体７の下面にあるガイドロッド留め具１８に固定されている。このように構成されていることにより、飲用時には外部キャップ１を開けると、ガイドロッド１７は、環状体５及びジョイント付き固定留め具４１通して摺動して上昇し、同時にガイドロッド留め具１８も上昇するので、粉末収納体７は環状体５とガイドロッド留め具１８の間で圧縮され、内部圧が上昇してスリット６が開裂し、粉末収納体７内の粉末、例えば、お茶の粉末８が落下し、水と混合する。このように、粉末を飲料水中に簡単に混入しうると共に、飲料時に混合して新鮮な状態で煩わしさがなく飲用することができるものである。
。
【産業上の利用可能性】
【００２１】
本発明は、自動販売機などの販売用に供する分野において保存時間が長期に及ぶような場合、保存期間中に味や風味が変化するような飲料材料を扱う場合に極めて有効である。
【図面の簡単な説明】
【００２２】
【図１】本発明の粉末収納体付き容器用キャップを示す断面図である。
【図２】本発明に用いられる粉末収納体の有低部を示す底面図である。
【図３】本発明において、粉末収納体７の外部キャップ１の内面への取り付け方が別の形態である部分断面図を示す。
【図４】本発明の別の形態の粉末収納体を有するキャップを示す断面図である。
【図５】更に別の実施の形態を示す断面図である。
【符号の説明】
【００２３】
１  外部キャップ                        １５  バネ、例えばトーションバネ
２、３  ワッシャー                      １６  接続部
２２  環状平面                          １７  ガイドロッド
４  留め具                              １８  ガイドロッド留め具
５  固定環状体又はストッパープレート
６  スリット
７  粉末収納体
８  粉末
８′開いた底蓋
９  内部キャップ又は環状体固定枠
１０瓶又はペットボトル
１１  ケーブルタップ留め具
１２  ケーブルタップ
１３  当接棒
１４  底蓋
【図１】
2009083923.tif 000003
【図２】
2009083923.tif 000004
【図３】
2009083923.tif 000005
【図４】
2009083923.tif 000006
【図５】
2009083923.tif 000007